(57)【要約】【課題】UPSとRCSとの間で効率よくRFNタイミングを受け渡すこと。【解決手段】移動可能な端末と無線回線を介して通信を行う無線基地局装置を制御し、シグナリングの転送制御をなすRCSと、前記端末に関するユーザデータの転送制御をなすUPSとが物理的に分離して設けられてなる無線基地局制御システムにおいて、RCSは、シグナリングの転送制御に必要とされるUPSが管理するRFNをUPSに問い合せる問い合わせ信号を送出する問い合わせ手段を備え、UPSは、前記問い合わせ信号を受信するとRFNをRCSへ送出する送出手段を備える。【選択図】  図１
2004194086.tif 000002
【特許請求の範囲】
【請求項１】
移動可能な端末と、
前記端末と無線回線を介して通信を行う無線基地局装置と、
前記無線基地局を制御し、シグナリングの転送制御をなす第１の制御手段と、
前記第１の制御手段と物理的に分離して設けられ、前記端末に関するユーザデータの転送制御をなす第２の制御手段とを有する移動通信システムにおいて、
前記第１の制御手段は、シグナリングの転送制御に必要とされる前記第２の制御手段が管理するタイミング情報を前記第２の制御手段に問い合せる問い合わせ信号を送出する問い合わせ手段を備え、
前記第２の制御手段は、前記問い合わせ信号を受信すると前記タイミング情報を前記第１の制御手段へ送出する送出手段を備えることを特徴とする移動通信システム。
【請求項２】
移動可能な端末と、
前記端末と無線回線を介して通信を行う無線基地局装置と、
前記無線基地局を制御し、シグナリングの転送制御をなす第１の制御手段と、
前記第１の制御手段と物理的に分離して設けられ、前記端末に関するユーザデータの転送制御をなす第２の制御手段とを有する移動通信システムにおいて、
前記第２の制御手段は、前記第１の制御手段のシグナリングの転送制御に必要とされるタイミング情報を管理し、定期的に前記第１の制御手段へ送出する送出手段を備えることを特徴とする移動通信システム。
【請求項３】
請求項１または請求項２に記載の移動通信システムにおいて、
第１の制御手段は第２の制御手段より送られてくるタイミング情報を補償する補正手段を有することを特徴とする移動通信システム。
【請求項４】
移動可能な端末と、
前記端末と無線回線を介して通信を行う無線基地局装置と、
前記無線基地局を制御し、シグナリングの転送制御をなす第１の制御手段と、
前記第１の制御手段と物理的に分離して設けられ、前記端末に関するユーザデータの転送制御をなす第２の制御手段とを有する移動通信システムにおいて、
時刻情報を送出する時刻情報送出手段を備え、
前記第１の制御手段および第２の制御手段は前記時刻情報を用いてそれぞれが内臓する時計の時刻を同期させる時計制御手段を備え、
前記第１の制御手段は、シグナリングの転送制御に必要とされる前記第２の制御手段が管理するタイミング情報を前記第２の制御手段に問合せる問い合わせ信号を送出する問い合わせ手段を備え、
前記第２の制御手段は、前記問い合わせ信号を受信すると前記タイミング情報を自己に内蔵される時計の時刻に関連付けて前記第１の制御手段へ送出する送出手段を備え、
前記第１の制御手段は、前記タイミング情報と自己に内蔵される時計の時刻から現在のタイミング情報を算出してシグナリングの転送制御を行うことを特徴とする移動通信システム。
【請求項５】
移動可能な端末と、
前記端末と無線回線を介して通信を行う無線基地局装置と、
前記無線基地局を制御し、シグナリングの転送制御をなす第１の制御手段と、
前記第１の制御手段と物理的に分離して設けられ、前記端末に関するユーザデータの転送制御をなす第２の制御手段とを有する移動通信システムにおいて、
時刻情報を送出する時刻情報送出手段を備え、
前記第１の制御手段および第２の制御手段は前記時刻情報を用いてそれぞれが内臓する時計の時刻を同期させる時計制御手段を備え、
前記第２の制御手段は、前記第１の制御手段のシグナリングの転送制御に必要とされるタイミング情報を管理し、自己に内蔵される時計の時刻に関連付けて定期的に前記第１の制御手段へ送出する送出手段を備え、
前記第１の制御手段は、前記タイミング情報と自己に内蔵される時計の時刻から現在のタイミング情報を算出してシグナリングの転送制御を行うことを特徴とする移動通信システム。
【請求項６】
移動可能な端末と無線回線を介して通信を行う無線基地局装置を制御し、シグナリングの転送制御をなす第１の制御手段と、前記端末に関するユーザデータの転送制御をなす第２の制御手段とが物理的に分離して設けられてなる無線基地局制御システムにおいて、
前記第１の制御手段は、シグナリングの転送制御に必要とされる前記第２の制御手段が管理するタイミング情報を前記第２の制御手段に問い合せる問い合わせ信号を送出する問い合わせ手段を備え、
前記第２の制御手段は、前記問い合わせ信号を受信すると前記タイミング情報を前記第１の制御手段へ送出する送出手段を備えることを特徴とする無線基地局制御システム。
【請求項７】
移動可能な端末と無線回線を介して通信を行う無線基地局装置を制御し、シグナリングの転送制御をなす第１の制御手段と、前記端末に関するユーザデータの転送制御をなす第２の制御手段とが物理的に分離して設けられてなる無線基地局制御システムにおいて、
前記第２の制御手段は、前記第１の制御手段のシグナリングの転送制御に必要とされるタイミング情報を管理し、定期的に前記第１の制御手段へ送出する送出手段を備えることを特徴とする無線基地局制御システム。
【請求項８】
請求項６または請求項７に記載の無線基地局制御システムにおいて、
第１の制御手段は第２の制御手段より送られてくるタイミング情報を補償する補正手段を有することを特徴とする無線基地局制御システム。
【請求項９】
移動可能な端末と無線回線を介して通信を行う無線基地局装置を制御し、シグナリングの転送制御をなす第１の制御手段と、前記端末に関するユーザデータの転送制御をなす第２の制御手段とが物理的に分離して設けられてなる無線基地局制御システムにおいて、
時刻情報を送出する時刻情報送出手段を備え、
前記第１の制御手段および第２の制御手段は前記時刻情報を用いてそれぞれが内臓する時計の時刻を同期させる時計制御手段を備え、
前記第１の制御手段は、シグナリングの転送制御に必要とされる前記第２の制御手段が管理するタイミング情報を前記第２の制御手段に問合せる問い合わせ信号を送出する問い合わせ手段を備え、
前記第２の制御手段は、前記問い合わせ信号を受信すると前記タイミング情報を自己に内蔵される時計の時刻に関連付けて前記第１の制御手段へ送出する送出手段を備え、
前記第１の制御手段は、前記タイミング情報と自己に内蔵される時計の時刻から現在のタイミング情報を算出してシグナリングの転送制御を行うことを特徴とする無線基地局制御システム。
【請求項１０】
移動可能な端末と無線回線を介して通信を行う無線基地局装置を制御し、シグナリングの転送制御をなす第１の制御手段と、前記端末に関するユーザデータの転送制御をなす第２の制御手段とが物理的に分離して設けられてなる無線基地局制御システムにおいて、
時刻情報を送出する時刻情報送出手段を備え、
前記第１の制御手段および第２の制御手段は前記時刻情報を用いてそれぞれが内臓する時計の時刻を同期させる時計制御手段を備え、
前記第２の制御手段は、前記第１の制御手段のシグナリングの転送制御に必要とされるタイミング情報を管理し、自己に内蔵される時計の時刻に関連付けて定期的に前記第１の制御手段へ送出する送出手段を備え、
前記第１の制御手段は、前記タイミング情報と自己に内蔵される時計の時刻から現在のタイミング情報を算出してシグナリングの転送制御を行うことを特徴とする無線基地局制御システム。
【請求項１１】
移動可能な端末と無線回線を介して通信を行う無線基地局装置を制御し、シグナリングの転送制御をなす第１の制御手段と、前記端末に関するユーザデータの転送制御をなす第２の制御手段とが物理的に分離して設けられてなる無線基地局制御システムにおける無線基地局制御方法であって、
前記第１の制御手段には、シグナリングの転送制御に必要とされる前記第２の制御手段が管理するタイミング情報を前記第２の制御手段に問い合せる問い合わせ信号を送出する問い合わせ手段を設け、
前記第２の制御手段には、前記問い合わせ信号を受信すると前記タイミング情報を前記第１の制御手段へ送出する送出手段を設けることを特徴とする無線基地局制御方法。
【請求項１２】
移動可能な端末と無線回線を介して通信を行う無線基地局装置を制御し、シグナリングの転送制御をなす第１の制御手段と、前記端末に関するユーザデータの転送制御をなす第２の制御手段とが物理的に分離して設けられてなる無線基地局制御システムにおける無線基地局制御方法であって、
前記第２の制御手段は、前記第１の制御手段のシグナリングの転送制御に必要とされるタイミング情報を管理することとし、定期的に前記第１の制御手段へ送出する送出手段を設けることを特徴とする無線基地局制御方法。
【請求項１３】
請求項１１または請求項１２に記載の無線基地局制御方法において、
第１の制御手段は第２の制御手段より送られてくるタイミング情報を補償する補正手段を設けることを特徴とする無線基地局制御方法。
【請求項１４】
移動可能な端末と無線回線を介して通信を行う無線基地局装置を制御し、シグナリングの転送制御をなす第１の制御手段と、前記端末に関するユーザデータの転送制御をなす第２の制御手段とが物理的に分離して設けられてなる無線基地局制御システムにおける無線基地局制御方法であって、
時刻情報を送出する時刻情報送出手段を設け、
前記第１の制御手段および第２の制御手段には前記時刻情報を用いてそれぞれが内臓する時計の時刻を同期させる時計制御手段を設け、
前記第１の制御手段は、シグナリングの転送制御に必要とされる前記第２の制御手段が管理するタイミング情報を前記第２の制御手段に問合せる問い合わせ信号を送出する問い合わせ手段を設け、
前記第２の制御手段には、前記問い合わせ信号を受信すると前記タイミング情報を自己に内蔵される時計の時刻に関連付けて前記第１の制御手段へ送出する送出手段を設け、
前記第１の制御手段は、前記タイミング情報と自己に内蔵される時計の時刻から現在のタイミング情報を算出してシグナリングの転送制御を行うことを特徴とする無線基地局制御方法。
【請求項１５】
移動可能な端末と無線回線を介して通信を行う無線基地局装置を制御し、シグナリングの転送制御をなす第１の制御手段と、前記端末に関するユーザデータの転送制御をなす第２の制御手段とが物理的に分離して設けられてなる無線基地局制御システムにおける無線基地局制御方法であって、
時刻情報を送出する時刻情報送出手段を設け、
前記第１の制御手段および第２の制御手段は前記時刻情報を用いてそれぞれが内臓する時計の時刻を同期させる時計制御手段を設け、
前記第２の制御手段は、前記第１の制御手段のシグナリングの転送制御に必要とされるタイミング情報を管理し、自己に内蔵される時計の時刻に関連付けて定期的に前記第１の制御手段へ送出する送出手段を設け、
前記第１の制御手段は、前記タイミング情報と自己に内蔵される時計の時刻から現在のタイミング情報を算出してシグナリングの転送制御を行うことを特徴とする無線基地局制御方法。
【発明の詳細な説明】
【０００１】
【発明の属する技術分野】
本発明は、移動端末との間にて無線送受信を行う無線基地局装置を制御する移動通信システムおよび方法に関する。
【０００２】
【従来の技術】
移動体通信システムにおける無線アクセスネットワーク（RAN：Radio Access Network）は基地局とそれを制御する基地局制御装置とから構成されている。
【０００３】
３ＧＰＰ（３rd Generation Partnership Projects）仕様におけるRANは、UTRAN（UMTS Terrestrial Radio Access Network）と呼ばれ、図５に示すように複数の無線基地局（Node B）５０１〜５０４と無線制御装置（RNC：Radio NetworkController）５０５から構成されている。RNC５０５は無線アクセスに関するシグナリング制御情報を扱い、シグナリング転送制御を行うＣプレーン（Control Plane）部分と音声データや画像データなどのユーザデータを扱うＵプレーン（User Plane）部分からなり、各部により処理が行われている。
【０００４】
最近では、RNC内のＣプレーン部分、Ｕプレーン部分を分割し、１つのＣプレーン部分に対して複数のＵプレーン部分を設けて構成を効率化することが提案されている。以下の説明では、Ｃプレーン部分をRCS（Radio Control Server）と呼び、Ｕプレーン部分をUPS(User Plane Server）と呼ぶ。
【０００５】
図６はこのような移動通信システムの構成を示すブロック図であり、無線基地局（Node B）６０１〜６０４に対して設けられたUPS６０９と無線基地局（Node B）６０５〜６０８に対して設けられたUPS６１０とに対して１つのRCS６１１が設けられている。
【０００６】
上述したUTRANでは、タイミング情報としてRNCフレーム番号（RFN：RNC FrameNumber ）、ノードBフレーム番号（BFN：Node B Frame Number ）、セルシステムフレーム番号（SFN：Cell System Frame Number ）、接続フレーム番号（CFN：Connection Frame Number ）がある。図７は、上記の各タイミング情報の関係を示す図であり、各タイミング情報については以下のように定義される。
（１）RNCではRFNを管理し、Node BではBFNを管理する。
（２）RFN、BFNの１フレーム長は１０ｍｓ長であり、０−４０９５の範囲の４０９６周期で管理されている。
（３）RFNとBFNの位相差はNode Synchronizationと呼ばれる機構により測定可能である。
（４）Node B配下のセル（cell）のタイミングを示すフレーム番号はSFNと呼ばれ、各セルは、Tcellと呼ばれるBFNに対するオフセット量により出力タイミングが決定される。
（５）セル内で通信中の携帯電話などのユーザ装置（UE：User Equipment）はさらに、CFNによりUTRANと通信を行なっており、CFNはSNFに対するフレームオフセットとチップオフセットによりタイミングが決定される。
【０００７】
なお、上記のアーキテクチャの詳細は３ＧＰＰ（３rd Generation Partnership Projects）に規定されている。
【０００８】
【発明が解決しようとする課題】
上述した各タイミング情報を関連付けるためのTcell、フレームオフセット、チップオフセットはRNCが指定する値であり、また、RFNとBFNとの位相差はNode Synchronizationにより解決できるため、これらすべての値はRNCがすべて保持している。
【０００９】
RNCはUEに対するタイミング関係の通知を行なうために、UE毎に定義されているCFNを知らなければならない。例えば、無線上を飛び交うユーザ情報秘匿を開始するためのActivation Timeの指定、無線リンク再構成のためのRadio link Reconfigurationを行なう際の開始時刻の指定は、CFNにより行なう。
【００１０】
UE毎のCFNは、RNCのRFNタイミングに対して上述したオフセット（Tcell、フレームオフセット、チップオフセット、RFNとBFNとの位相差）をRNCのRFNタイミングから計算することで把握可能である。つまり、RFNタイミングを元にしてBFNタイミングを把握し、BFNタイミングからSFNタイミング、SFNタイミングから個々のUE毎のCFNタイミングを割り出すことが可能である。
【００１１】
上記のようなRFNタイミングを元にした個々のUE毎のCFNタイミングの割り出しは、図５に示したように複数の無線基地局を１つの無線制御装置で制御する構成の場合には各タイミングは無線制御装置が管理するので、１つの無線制御装置のみで行なうことができるが、図６に示したように、無線制御装置をRCSとUPSとに分離した構成とした場合には、RFNタイミングはUPSで管理されるため、RCSはなんらかの形でUPSで管理されているRFNタイミングを知る必要があるが、現在のところではRCSがどのようにしてUPSで管理されているRFNタイミングを知るかのプロトコルは確立されていない。
【００１２】
本発明は上述したような従来の技術が有する問題点に鑑みてなされたものであって、UPSとRCSとの間で効率よくRFNタイミングを受け渡すことのできるシステムおよび方法を実現することを目的とする。
【００１３】
【課題を解決するための手段】
本発明の移動通信システムは、移動可能な端末と、
前記端末と無線回線を介して通信を行う無線基地局装置と、
前記無線基地局を制御し、シグナリングの転送制御をなす第１の制御手段と、
前記第１の制御手段と物理的に分離して設けられ、前記端末に関するユーザデータの転送制御をなす第２の制御手段とを有する移動通信システムにおいて、
前記第１の制御手段は、シグナリングの転送制御に必要とされる前記第２の制御手段が管理するタイミング情報を前記第２の制御手段に問い合せる問い合わせ信号を送出する問い合わせ手段を備え、
前記第２の制御手段は、前記問い合わせ信号を受信すると前記タイミング情報を前記第１の制御手段へ送出する送出手段を備えることを特徴とする。
【００１４】
本発明の他の形態による移動通信システムは、移動可能な端末と、
前記端末と無線回線を介して通信を行う無線基地局装置と、
前記無線基地局を制御し、シグナリングの転送制御をなす第１の制御手段と、
前記第１の制御手段と物理的に分離して設けられ、前記端末に関するユーザデータの転送制御をなす第２の制御手段とを有する移動通信システムにおいて、
前記第２の制御手段は、前記第１の制御手段のシグナリングの転送制御に必要とされるタイミング情報を管理し、定期的に前記第１の制御手段へ送出する送出手段を備えることを特徴とする。
【００１５】
上記のいずれにおいても、第１の制御手段は第２の制御手段より送られてくるタイミング情報を補償する補正手段を有することを特徴とする移動通信システム。
【００１６】
本発明のさらに他の形態による移動通信システムは、移動可能な端末と、
前記端末と無線回線を介して通信を行う無線基地局装置と、
前記無線基地局を制御し、シグナリングの転送制御をなす第１の制御手段と、
前記第１の制御手段と物理的に分離して設けられ、前記端末に関するユーザデータの転送制御をなす第２の制御手段とを有する移動通信システムにおいて、
時刻情報を送出する時刻情報送出手段を備え、
前記第１の制御手段および第２の制御手段は前記時刻情報を用いてそれぞれが内臓する時計の時刻を同期させる時計制御手段を備え、
前記第１の制御手段は、シグナリングの転送制御に必要とされる前記第２の制御手段が管理するタイミング情報を前記第２の制御手段に問合せる問い合わせ信号を送出する問い合わせ手段を備え、
前記第２の制御手段は、前記問い合わせ信号を受信すると前記タイミング情報を自己に内蔵される時計の時刻に関連付けて前記第１の制御手段へ送出する送出手段を備え、
前記第１の制御手段は、前記タイミング情報と自己に内蔵される時計の時刻から現在のタイミング情報を算出してシグナリングの転送制御を行うことを特徴とする。
【００１７】
本発明のさらに他の形態による移動通信システムは、移動可能な端末と、
前記端末と無線回線を介して通信を行う無線基地局装置と、
前記無線基地局を制御し、シグナリングの転送制御をなす第１の制御手段と、
前記第１の制御手段と物理的に分離して設けられ、前記端末に関するユーザデータの転送制御をなす第２の制御手段とを有する移動通信システムにおいて、
時刻情報を送出する時刻情報送出手段を備え、
前記第１の制御手段および第２の制御手段は前記時刻情報を用いてそれぞれが内臓する時計の時刻を同期させる時計制御手段を備え、
前記第２の制御手段は、前記第１の制御手段のシグナリングの転送制御に必要とされるタイミング情報を管理し、自己に内蔵される時計の時刻に関連付けて定期的に前記第１の制御手段へ送出する送出手段を備え、
前記第１の制御手段は、前記タイミング情報と自己に内蔵される時計の時刻から現在のタイミング情報を算出してシグナリングの転送制御を行うことを特徴とする移動通信システム。
【００１８】
本発明の無線基地局制御システムは、移動可能な端末と無線回線を介して通信を行う無線基地局装置を制御し、シグナリングの転送制御をなす第１の制御手段と、前記端末に関するユーザデータの転送制御をなす第２の制御手段とが物理的に分離して設けられてなる無線基地局制御システムにおいて、
前記第１の制御手段は、シグナリングの転送制御に必要とされる前記第２の制御手段が管理するタイミング情報を前記第２の制御手段に問い合せる問い合わせ信号を送出する問い合わせ手段を備え、
前記第２の制御手段は、前記問い合わせ信号を受信すると前記タイミング情報を前記第１の制御手段へ送出する送出手段を備えることを特徴とする。
【００１９】
本発明の他の形態による無線基地局制御システムは、移動可能な端末と無線回線を介して通信を行う無線基地局装置を制御し、シグナリングの転送制御をなす第１の制御手段と、前記端末に関するユーザデータの転送制御をなす第２の制御手段とが物理的に分離して設けられてなる無線基地局制御システムにおいて、
前記第２の制御手段は、前記第１の制御手段のシグナリングの転送制御に必要とされるタイミング情報を管理し、定期的に前記第１の制御手段へ送出する送出手段を備えることを特徴とする。
【００２０】
上記のいずれにおいても、第１の制御手段は第２の制御手段より送られてくるタイミング情報を補償する補正手段を有することとしてもよい。
【００２１】
本発明のさらに他の形態による無線基地局制御システムは、移動可能な端末と無線回線を介して通信を行う無線基地局装置を制御し、シグナリングの転送制御をなす第１の制御手段と、前記端末に関するユーザデータの転送制御をなす第２の制御手段とが物理的に分離して設けられてなる無線基地局制御システムにおいて、
時刻情報を送出する時刻情報送出手段を備え、
前記第１の制御手段および第２の制御手段は前記時刻情報を用いてそれぞれが内臓する時計の時刻を同期させる時計制御手段を備え、
前記第１の制御手段は、シグナリングの転送制御に必要とされる前記第２の制御手段が管理するタイミング情報を前記第２の制御手段に問合せる問い合わせ信号を送出する問い合わせ手段を備え、
前記第２の制御手段は、前記問い合わせ信号を受信すると前記タイミング情報を自己に内蔵される時計の時刻に関連付けて前記第１の制御手段へ送出する送出手段を備え、
前記第１の制御手段は、前記タイミング情報と自己に内蔵される時計の時刻から現在のタイミング情報を算出してシグナリングの転送制御を行うことを特徴とする。
【００２２】
本発明のさらに他の形態による無線基地局制御システムは、移動可能な端末と無線回線を介して通信を行う無線基地局装置を制御し、シグナリングの転送制御をなす第１の制御手段と、前記端末に関するユーザデータの転送制御をなす第２の制御手段とが物理的に分離して設けられてなる無線基地局制御システムにおいて、
時刻情報を送出する時刻情報送出手段を備え、
前記第１の制御手段および第２の制御手段は前記時刻情報を用いてそれぞれが内臓する時計の時刻を同期させる時計制御手段を備え、
前記第２の制御手段は、前記第１の制御手段のシグナリングの転送制御に必要とされるタイミング情報を管理し、自己に内蔵される時計の時刻に関連付けて定期的に前記第１の制御手段へ送出する送出手段を備え、
前記第１の制御手段は、前記タイミング情報と自己に内蔵される時計の時刻から現在のタイミング情報を算出してシグナリングの転送制御を行うことを特徴とする。
【００２３】
本発明の無線基地局制御方法は、移動可能な端末と無線回線を介して通信を行う無線基地局装置を制御し、シグナリングの転送制御をなす第１の制御手段と、前記端末に関するユーザデータの転送制御をなす第２の制御手段とが物理的に分離して設けられてなる無線基地局制御システムにおける無線基地局制御方法であって、
前記第１の制御手段には、シグナリングの転送制御に必要とされる前記第２の制御手段が管理するタイミング情報を前記第２の制御手段に問い合せる問い合わせ信号を送出する問い合わせ手段を設け、
前記第２の制御手段には、前記問い合わせ信号を受信すると前記タイミング情報を前記第１の制御手段へ送出する送出手段を設けることを特徴とする。
【００２４】
本発明のさらに他の形態による無線基地局制御方法は、移動可能な端末と無線回線を介して通信を行う無線基地局装置を制御し、シグナリングの転送制御をなす第１の制御手段と、前記端末に関するユーザデータの転送制御をなす第２の制御手段とが物理的に分離して設けられてなる無線基地局制御システムにおける無線基地局制御方法であって、
前記第２の制御手段は、前記第１の制御手段のシグナリングの転送制御に必要とされるタイミング情報を管理することとし、定期的に前記第１の制御手段へ送出する送出手段を設けることを特徴とする。
【００２５】
上記のいずれにおいても、第１の制御手段は第２の制御手段より送られてくるタイミング情報を補償する補正手段を設けることとしてもよい。
【００２６】
本発明のさらに他の形態による無線基地局制御方法は、移動可能な端末と無線回線を介して通信を行う無線基地局装置を制御し、シグナリングの転送制御をなす第１の制御手段と、前記端末に関するユーザデータの転送制御をなす第２の制御手段とが物理的に分離して設けられてなる無線基地局制御システムにおける無線基地局制御方法であって、
時刻情報を送出する時刻情報送出手段を設け、
前記第１の制御手段および第２の制御手段には前記時刻情報を用いてそれぞれが内臓する時計の時刻を同期させる時計制御手段を設け、
前記第１の制御手段は、シグナリングの転送制御に必要とされる前記第２の制御手段が管理するタイミング情報を前記第２の制御手段に問合せる問い合わせ信号を送出する問い合わせ手段を設け、
前記第２の制御手段には、前記問い合わせ信号を受信すると前記タイミング情報を自己に内蔵される時計の時刻に関連付けて前記第１の制御手段へ送出する送出手段を設け、
前記第１の制御手段は、前記タイミング情報と自己に内蔵される時計の時刻から現在のタイミング情報を算出してシグナリングの転送制御を行うことを特徴とする。
【００２７】
本発明のさらに他の形態による無線基地局制御方法は、移動可能な端末と無線回線を介して通信を行う無線基地局装置を制御し、シグナリングの転送制御をなす第１の制御手段と、前記端末に関するユーザデータの転送制御をなす第２の制御手段とが物理的に分離して設けられてなる無線基地局制御システムにおける無線基地局制御方法であって、
時刻情報を送出する時刻情報送出手段を設け、
前記第１の制御手段および第２の制御手段は前記時刻情報を用いてそれぞれが内臓する時計の時刻を同期させる時計制御手段を設け、
前記第２の制御手段は、前記第１の制御手段のシグナリングの転送制御に必要とされるタイミング情報を管理し、自己に内蔵される時計の時刻に関連付けて定期的に前記第１の制御手段へ送出する送出手段を設け、
前記第１の制御手段は、前記タイミング情報と自己に内蔵される時計の時刻から現在のタイミング情報を算出してシグナリングの転送制御を行うことを特徴とする。
【００２８】
【発明の実施の形態】
次に、本発明の実施例について図面を参照して説明する。
【００２９】
図１（ａ）は本発明による第１の実施例の要部構成を示すブロック図である。
【００３０】
図１（ａ）に示す実施例は、第１の制御手段であるRCS１０１と第２の制御手段であるUPS１０２から構成されている。RCS１０１はRCSとして機能するために必要とされる処理を行なうRCS処理部１０３とRFN値問い合せ部１０４から構成されている。UPS１０２はUPSとして機能するために必要とされる処理を行なうUPS処理部１０６とRFN値告知部１０５から構成されている。
【００３１】
各タイミング情報のうち、Tcell、フレームオフセット、チップオフセットはRCS処理部１０３が指定する値とされる。また、RFNタイミングはUPS処理部１０６により管理される。RCS処理部１０３は、RFNタイミングを必要とする場合にはRFN値問合せ部１０４を介してUPS１０２に問い合わせを行なう。この問合せはRFN値告知部１０５にて受信され、RFN値告知部１０５はUPS処理部１０６からRFNタイミングを読み出してRCS１０１へ送信する。このとき、UPS処理部１０６がNodeSynchronizationの結果から得た、RFNとBFNとの位相差も送信する。RCS処理部１０３は、これらの各信号をRFN値問合せ部１０４を介して受け取り、処理を行なう。
【００３２】
上記のように構成される本実施例の場合には、RCS処理部１０３は、RFNタイミングを必要とする場合にのみ、RFN値に関する通信がRCS１０１とUPS１０２との間で行なわれることとなるので、通信が効率良く行なわれることとなる。
【００３３】
次に、本発明の第２の実施例についてその構成を示す図１（ｂ）を参照して説明する。
【００３４】
本実施例は図１（ａ）に示した第１の実施例におけるＲＣＳ１０１にＲＦＮ値補正部１０７を加えた構成としたものである。この他の構成は図１（ａ）に示した第１の実施例と同様であるため、図１（ａ）と同じ番号を付して説明は省略する。
【００３５】
本実施例においては、UPS１０２から送られてきたRFNタイミングはＲＦＮ値補正部１０７に送られて補正される。この補正はRCS１０１とUPS１０２との間での伝播遅延を補償するために行なわれる。
【００３６】
上記のように構成される本実施例においては、第１の実施例の効果に加えて、より精度の高いRFN値により制御を行うことができる効果がある。
【００３７】
次に、本発明の第３の実施例についてその構成を示す図２（ａ）を参照して説明する。
【００３８】
図２（ａ）に示す実施例は、RCS２０１とUPS２０２から構成されている。RCS２０１はRCSとして機能するために必要とされる処理を行なうRCS処理部２０３とRFN値受信部２０４から構成されている。UPS２０２はUPSとして機能するために必要とされる処理を行なうUPS処理部２０６とRFN値告知部２０５から構成されている。
【００３９】
各タイミング情報のうち、Tcell、フレームオフセット、チップオフセットはRCS処理部２０３が指定する値とされる。また、RFNタイミングはUPS処理部２０６により管理される。RFN値告知部２０５はUPS処理部２０６からRFNタイミングを定期的に読み出してRCS２０１へ送信する。このとき、UPS処理部２０６がNode Synchronizationの結果から得た、RFNとBFNとの位相差も送信する。RCS処理部２０３は、これらの各信号をRFN値受信部２０４を介して受け取り、処理を行なう。
【００４０】
上記のように構成される本実施例の場合には、第１および第２の実施例と異なり、定期的にRFNタイミングがRCSに送信される。このため、RCS処理部２０３は、RFNタイミングを問合せる必要がなくなり、通信制御構成を簡略化することができることとなる。
【００４１】
次に、本発明の第４の実施例についてその構成を示す図２（ｂ）を参照して説明する。
【００４２】
本実施例は図２（ａ）に示した第３の実施例におけるＲＣＳ２０１にＲＦＮ値補正部２０７を加えた構成としたものである。この他の構成は図２（ａ）に示した第３の実施例と同様であるため、図２（ａ）と同じ番号を付して説明は省略する。
【００４３】
本実施例においては、UPS１０２から送られてきたRFNタイミングはＲＦＮ値補正部２０７に送られて補正される。この補正はRCS２０１とUPS２０２との間での伝播遅延を補償するために行なわれる。
【００４４】
上記のように構成される本実施例においては、第３の実施例の効果に加えて、より精度の高いRFN値により制御を行うことができる効果がある。
【００４５】
次に、本発明の第５の実施例についてその構成を示す図３を参照して説明する。
【００４６】
本実施例は時刻を示す情報を送出する時刻情報送出手段３０１、ＲＣＳ３０２およびＵＰＳ３０８から構成されている。
【００４７】
RCS３０２はRCSとして機能するために必要とされる処理を行なうRCS処理部３０６、RFN値問い合せ部３０７、時刻情報送出手段３０１からの時刻情報を受信する時刻情報受信部３０３、時計３０５、を用いて時計３０５における時刻を時刻情報受信部３０３にて受信された時刻情報に合わせるように調整する時計制御部３０４から構成されている。
【００４８】
UPS３０８はUPSとして機能するために必要とされる処理を行なうUPS処理部３０９、RFN値告知部３１３、時刻情報送出手段３０１からの時刻情報を受信する時刻情報受信部３１０、時計３１２、を用いて時計３１２における時刻を時刻情報受信部３１０にて受信された時刻情報に合わせるように調整する時計制御部３１１から構成されている。
【００４９】
各タイミング情報のうち、Tcell、フレームオフセット、チップオフセットはRCS処理部３０６が指定する値とされる。また、RFNタイミングはUPS処理部３０９により管理される。RCS処理部３０６は、RFNタイミングを必要とする場合にはRFN値問合せ部３０７を介してUPS３０８に問い合わせを行なう。この問合せはRFN値告知部３１３にて受信され、RFN値告知部３１３はUPS処理部３０９からRFNタイミングを読み出してRCS３０２へ送信する。このとき、UPS処理部１０６がNodeSynchronizationの結果から得た、RFNとBFNとの位相差も送信する。RCS処理部３０６は、これらの各信号をRFN値問合せ部３０７を介して受け取り、処理を行なう。
【００５０】
本実施例において、RCS３０２に内蔵された時計３０５とUPS３０８に内蔵された時計３１２は、時刻情報送出手段３０１から送出された時刻情報によりその時刻は同期されており、UPS３０８からRCS３０２に送られる各情報には時計３１２による時刻情報が付加され、RCS処理部３０６は受信した各情報と時計３０５による時刻情報によりRFN値を算出して処理を行なう。
【００５１】
以下に、本実施例において送受信時にRFN値に関して行なわれる計算方法について説明する。
【００５２】
方法1：位相差を報告する方法
ＵＰＳ処理部３０９、ＲＣＳ処理部３０６はそれぞれ同じ計算方法によって、ＵＰＳ３０８、ＲＣＳ３０２に設けられた時計３１２、３０５から１０ｍｓ単位４０９６周期の自時計によるフレーム番号（以下、自時計フレーム番号と称する）を算出する。
【００５３】
ＵＰＳ３０８、ＲＣＳ３０２に設けられた時計３１２、３０５は同期しているので各自時計フレーム番号は、ほぼ同じ計算結果になる。計算式の例としては、以下が挙げられる。
【００５４】
ＵＰＳ３０８、ＲＣＳ３０２の自時計フレーム番号＝現在時刻の１０ｍｓ単位表現ｍｏｄ４０９６
ＵＰＳ処理部３０９は管理するＲＦＮ値とＵＰＳ自時計フレーム番号との位相差をＲＣＳ３０２に通知する。
【００５５】
位相差＝（ＲＦＮ−ＵＰＳ自時計フレーム番号）ｍｏｄ４０９６
ＲＣＳ処理部３０６はＵＰＳ３０８より受け取った位相差から次の計算によって、現在時刻のＲＦＮ値を導き出す。
【００５６】
ＲＦＮ値＝（ＲＣＳ自時計フレーム番号＋位相差）ｍｏｄ４０９６
ＲＣＳ処理部３０６が導き出したＲＦＮ値は、同期するＵＰＳ３０８、ＲＣＳ３０２に設けられた時計３１２、３０５の精度により異なるが、ＲＣＳ処理部３０６が要求するＲＦＮ値の精度はＵＰＳ処理部３０９が要求するものに比べれば小さいため、許容できる範囲で同期できればよい。通常数フレーム程度の誤差は許容可能である。
【００５７】
方法２：現ＲＦＮ値を報告する方法
ＵＰＳ処理部３０９、ＲＣＳ処理部３０６はそれぞれ同じ計算方法によって、ＵＰＳ３０８、ＲＣＳ３０２に設けられた時計３１２、３０５から１０ｍｓ単位４０９６周期の自時計フレーム番号を算出する。
【００５８】
ＵＰＳ３０８、ＲＣＳ３０２に設けられた時計３１２、３０５は同期しているので各自時計フレーム番号は、ほぼ同じ計算結果になる。計算式の例としては、以下が挙げられる。
【００５９】
ＵＰＳ３０８、ＲＣＳ３０２の自時計フレーム番号−現在時刻の１０ｍｓ単位表現ｍｏｄ４０９６
ＵＰＳ処理部３０９は管理するＲＦＮ値とＵＰＳ自時計との対応をＲＣＳ３０２に通知する。
（ＲＦＮ，ＵＰＳ自時計時刻）
ＲＣＳ処理部３０６はＵＰＳ３０８より受け取ったＲＦＮ値とＵＰＳ自時計との対応から現在時刻のＲＦＮ値を導き出す。
【００６０】
たとえば、次のような計算でＲＦＮ値を知ることが可能である。
【００６１】
ＲＦＮ（ＵＰＳ）＝ＵＰＳより受け取ったＲＦＮ値
ＴＩＭＥ（ＵＰＳ）＝ＵＰＳ自時計時刻（１０ｍｓ単位）
ＴＩＭＥ（ＲＣＳ）＝ＲＣＳ自時計の現在時刻（１０ｍｓ単位）
ＲＦＮ値＝［ＲＦＮ（ＵＰＳ）＋〔ＴＩＭＥ（ＵＰＳ）−ＴＩＭＥ（ＵＰＳ）〕］ｍｏｄ４０９６
ＲＣＳ処理部３０６が導き出したＲＦＮ値はＵＰＳ，ＲＣＳが同期する時計の精度により異なるが、ＲＣＳが要求するＲＦＮの精度はＵＰＳのものに比べれば小さいため、許容できる範囲で同期できればよい。通常数フレーム程度の誤差は許容可能である。
【００６２】
次に、本発明の第６の実施例についてその構成を示す図４を参照して説明する。
【００６３】
本実施例における時刻情報送出手段４０１、RCS４０２、時刻情報受信部４０３，４１０、時計制御部４０４，４１１、時計４０５，４１２、UPS４０８、RCS処理部４０６、UPS処理部４０９は図３に示した第５の実施例における時刻情報送出手段３０１、RCS３０２、時刻情報受信部３０３，３１０、時計制御部３０４，３１１、時計３０５，３１２、UPS３０８、RCS処理部３０６、UPS処理部３０９と同様である。
【００６４】
本実施例において、各タイミング情報のうち、Tcell、フレームオフセット、チップオフセットはRCS処理部４０６が指定する値とされる。また、RFNタイミングはUPS処理部４０９により管理される。RFN値告知部４１３はUPS処理部４０９からRFNタイミングを読み出してRCS４０２へ送信する。このとき、UPS処理部４０６がNode Synchronizationの結果から得た、RFNとBFNとの位相差も送信する。RCS処理部４０６は、これらの各信号をRFN値受信部４０７を介して受け取り、処理を行なう。
【００６５】
本実施例においても、RCS４０２に内蔵された時計４０５とUPS４０８に内蔵された時計４１２は、時刻情報送出手段４０１から送出された時刻情報によりその時刻は同期されており、UPS４０８からRCS４０２に送られる各情報には時計４１２による時刻情報が付加され、RCS処理部４０６は受信した各情報と時計３０５による時刻情報によりRFN値を算出して処理を行なう。
【００６６】
RFN値の算出については、図３に示した第５の実施例における方法１、方法２のいずれかにより行なわれる。
【００６７】
なお、ＵＰＳ４０８は位相差の通知をＲＣＳ４０２に定期的に送るものとしたが、位相差に変化があったときのみにＲＣＳ４０２へ通知することとしてもよい。このような構成とすることにより、ＲＣＳ４０２は常にＵＰＳ４０８が管理するＲＦＮ値を把握することができる。
【００６８】
第１の実施例および第３の実施例のように、ＵＰＳに現ＲＦＮ値をRCSに単に送信する方法では、その通信距離や電界事情に応じて伝播遅延、処理遅延等の揺らぎを吸収することが必要となる場合がある。第２の実施例および第４の実施例ではこれらを補正するための補正回路が設けられているが、複雑な補正が必要となる。
【００６９】
上記のように構成される本発明の第５の実施例および第６の実施例においては、ＲＣＳ−ＵＰＳ間の伝播遅延が問題とならないため、第２の実施例および第４の実施例のような補正回路が不要となっている。
【００７０】
なお、ＵＰＳ，ＲＣＳが内蔵している時計を同期させるための時刻情報送出手段としては、ＧＰＳ（Global Positioning System）、ＮＴＰ（Network Time Protocol）、電波時計に用いられる標準電波、ＦＭ放送、その他の方法を利用等を用いることが考えられる。また、時計でなくても、時計に変わりうる時間同期であっても同様である。
【００７１】
ＧＰＳは衛星を使用した時間同期方式で全地球の広範囲で非常に小さい誤差で時刻同期を行うことが可能である。ＧＰＳを使用した誤差範囲は１００ｎｓ程度である。しかし、ＧＰＳは衛星からの電波が受信できるような環境に限られる。
【００７２】
ＮＴＰではインターネット技術を使用したネットワークにおいて、装置の時刻をＮＴＰサーバに同期する仕組みであり、情報転送の伝播遅延も考慮した時計同期が可能である。
【００７３】
標準電波は時刻を短波または長波によって時刻を通知するものであり、通知される時刻の誤差は小さいのが特徴である。伝播時間による誤差が影響してしまう問題があるが、電波が発射される位置と、ＵＰＳ，ＲＣＳがおかれる位置の距離から誤差を補正することができる。
【００７４】
ＦＭ放送による時間同期はＦＭラジオ局が放送する時刻情報により時間を同期させるものである。１０ｍｓから３０ｍｓ程度の精度で同期することが可能である。
【００７５】
これらにより、各内蔵時計が同期され、ＵＰＳがＲＦＮ値と内蔵時計の対応をＲＣＳに通知することにより、ＲＣＳがＲＦＮ値をＲＣＳ内蔵時計との対応として間接的に知ることができるようになる。これらの時計は直接ＵＰＳのＲＦＮと同期が取れている必要はなく、ＲＦＮ値とはまったく独立した時計の方が好ましい。
【００７６】
ＵＰＳのＲＦＮ、Node BのＢＦＮタイミングは無線フレームタイミングに直接影響があるため、高精度が求められる。これに対し、ＵＰS，ＲＣＳの内蔵時計は比較的精度が低いものであっても、ＵＰＳのＲＦＮ値をＲＣＳが知ることが可能になる。
【００７７】
ＲＣＳはフレーム単位（１０ｍｓ単位）でＲＦＮ値が分かればよいため、数ｍｓから数１０ｍｓ程度であればほとんどのシステムで問題にならないと思われる。ＲＣＳには高精度の時計が要求されないため、ＲＣＳをＰＣ，ワークステーション等で実現する場合、ＰＣおよびワークステーションに内蔵される時計をそのまま利用することが可能である。
【００７８】
【発明の効果】
本発明は以上説明したように構成されているため、UPSとRCSとの間で効率よくRFNタイミングを受け渡すことができるとともに効果がある。
【００７９】
また、補正回路を設ける場合には、上記効果に加えて高精度にてRFN値の受け渡しを行なうことができる効果がある。
【００８０】
さらに、時刻情報送出手段を設ける場合には、簡単な構成にて高精度なRFN値の受け渡しを行なうことができる効果がある。
【図面の簡単な説明】
【図１】
（ａ）は本発明の第１の実施例の要部構成を示す図、（ｂ）は本発明の第２の実施例の要部構成を示す図である。
【図２】（ａ）は本発明の第３の実施例の要部構成を示す図、（ｂ）は本発明の第４の実施例の要部構成を示す図である。
【図３】本発明の第５の実施例の要部構成を示す図である。
【図４】本発明の第６の実施例の要部構成を示す図である。
【図５】従来のネットワーク構成を示す図である。
【図６】従来のネットワーク構成を示す図である。
【図７】UTRANにおける各タイミング情報の関係を示す図である。
【符号の説明】
１０１，２０１，３０２，４０２    RCS
１０２，２０２，３０８，４０８    UPS
１０３，２０３，３０６，４０６    RCS処理部
１０４，３０７    RFN値問い合わせ部
１０５，２０５，３１３，４１３    RFN値告知部
１０６，２０６，３０９，    UPS処理部
１０７，２０７，    RFN値補正部
２０４，４０７    RFN値受信部
３０１，４０１    時刻情報送出手段
３０３，３１０，４０３，４１０    時刻情報受信部
２０４，３１１，４０４，４１１    時計制御部
３０５，３１２，４０５，４１２    時計
【図１】
2004194086.tif 000003
【図２】
2004194086.tif 000004
【図３】
2004194086.tif 000005
【図４】
2004194086.tif 000006
【図５】
2004194086.tif 000007
【図６】
2004194086.tif 000008
【図７】
2004194086.tif 000009